(57)【特許請求の範囲】
【請求項１】
充電/放電管理チップと、主電池正極/負極接点と、副電池正極/負極接点と、前記主電池正極/負極接点および前記副電池正極/負極接点に接続された電子スイッチとを含む、充電/放電管理装置であって、
主電池および副電池の配置状態を検出するように構成された検出ユニットと、
前記検出ユニットに接続された、前記充電/放電管理チップが所定の位置にあるバッテリーのために充電/放電管理を実行するように前記バッテリーの前記配置状態に従って前記電子スイッチをオン/オフになるように制御するように構成された電子スイッチ制御ユニットと
をさらに含み、
前記電子スイッチ制御ユニットは、コントローラと、第1の制御インターフェースと、コンパレータと、ANDゲートと、第2の制御インターフェースとを含み、前記第1の制御インターフェースおよび前記第2の制御インターフェースは前記コントローラに接続され、前記第1の制御インターフェースは、前記電子スイッチを通じて前記主電池負極接点および前記副電池正極接点にさらに接続され、前記コンパレータの1つの入力端部は前記副電池正極接点に接続され、別の入力端部は固定電圧を入力し、出力端部は前記ANDゲートの1つの入力端部に接続され、前記ANDゲートの別の入力端部は前記第2の制御インターフェースに接続され、前記ANDゲートの出力端部は、前記電子スイッチを通じて前記主電池正極接点および前記副電池負極接点に接続され、前記コントローラは、前記充電/放電管理チップが所定の位置にあるバッテリーのために充電/放電管理を実行できるように、前記第1の制御インターフェースおよび前記第2の制御インターフェースを使用することによって前記電子スイッチをオン/オフになるように制御する、充電/放電管理装置。
【請求項２】
前記コントローラは、前記主電池負極接点が前記充電/放電管理チップに接続される一方で前記副電池正極接点が前記充電/放電管理チップに接続されないように、または前記主電池負極接点が前記充電/放電管理チップに接続されない一方で前記副電池正極接点が前記充電/放電管理チップに接続されるように、前記検出ユニットによって検出された前記主電池および前記副電池の前記配置状態に従って、前記第1の制御インターフェースを使用することによって前記電子スイッチをオン/オフになるように制御する、請求項1に記載の充電/放電管理装置。
【請求項３】
前記主電池が所定の位置にある一方で前記副電池が所定の位置にないことを前記検出ユニットが検出したときに、前記コントローラは、前記主電池負極接点が前記充電/放電管理チップに接続される一方で前記副電池正極接点が前記充電/放電管理チップに接続されないように、前記第1の制御インターフェースを使用することによって前記電子スイッチをオン/オフになるように制御する、請求項2に記載の充電/放電管理装置。
【請求項４】
前記副電池が所定の位置にある一方で前記主電池が所定の位置にないことを前記検出ユニットが検出したときに、前記コントローラは、前記主電池負極接点が前記充電/放電管理チップに接続されない一方で前記副電池正極接点が前記充電/放電管理チップに接続されるように、前記第1の制御インターフェースを使用することによって前記電子スイッチをオン/オフになるように制御し、その一方で前記コントローラは、前記副電池負極接点が前記充電/放電管理チップに接続されるように前記電子スイッチを制御するために、前記第2の制御インターフェースを使用することによって前記ANDゲートが前記出力端部でHIGHを出力できるようにする、請求項2に記載の充電/放電管理装置。
【請求項５】
前記主電池負極接点は、ダイオードを通じて前記充電/放電管理チップにさらに接続される、請求項1から4のいずれか一項に記載の充電/放電管理装置。
【請求項６】
前記副電池正極/負極接点の数は少なくとも一対である、請求項1から5のいずれか一項に記載の充電/放電管理装置。
【請求項７】
モバイル端末であって、
主電池と、副電池と、請求項1から6のいずれか一項に記載の充電/放電管理装置とを含み、前記充電/放電管理装置は、前記主電池または前記副電池を使用することによって前記モバイル端末に電力を供給する、モバイル端末。
【請求項８】
モバイルフォンである、請求項7に記載のモバイル端末。
【発明の詳細な説明】
【技術分野】
【０００１】
本発明は、充電/放電管理技術に関し、詳細には、充電/放電管理装置およびモバイル端末に関する。
【背景技術】
【０００２】
現在、モバイルフォンやデータカードなど、市場で入手可能なモバイル端末製品は基本的に、同時にたった1つのバッテリーのために充電/放電管理を実行することが可能である。しかしながら、1つのバッテリーの能力は限られており、その結果、モバイル端末製品に電力を供給する時間が限られることになる。モバイル端末製品のバッテリーの能力が使い尽くされたとき、モバイル端末製品のユーザはバッテリーを充電しなければならない。バッテリーは次の方法で充電される。モバイル端末製品の電源をオフにし、バッテリーを取り出し、バッテリーを充電のために専用充電デバイス上に置く。またはUSB接続線などを使用して、手持ち式端末製品の充電インターフェースを、バッテリーを充電することが可能なデバイスに接続し、それによりバッテリーを充電する。バッテリーが第1の方法で充電される場合、ユーザはモバイル端末製品の電源をオフにしなければならず、ユーザはその間にモバイル端末製品を使用することができない。バッテリーが第2の方法で充電される場合、ユーザがモバイル端末製品を使用する場所が狭いエリアに限られる。すなわち、ユーザがモバイル端末製品を充電するとき、モバイル端末製品の電源がオフにされなければならないか、またはユーザがモバイル端末製品を使用する場所が狭いエリアに限られる。
【発明の概要】
【発明が解決しようとする課題】
【０００３】
本発明の実施形態は、モバイル端末製品が電源をオフにすることなく作動することができるように、またモバイル端末製品のユーザがモバイル端末製品を自由に使用することができるように、充電/放電管理の装置および方法を提供する。
【課題を解決するための手段】
【０００４】
本発明の実施形態の一態様では、充電/放電管理装置が提供され、充電/放電管理装置は、充電/放電管理チップと、主電池正極/負極接点と、副電池正極/負極接点と、主電池正極/負極接点および副電池正極/負極接点に接続された電子スイッチとを含み、
主電池および副電池の配置状態を検出するように構成された検出ユニットと、
検出ユニットに接続された、充電/放電管理チップが所定の位置にあるバッテリーのために充電/放電管理を実行するようにバッテリーの配置状態に従って電子スイッチをオン/オフになるように制御するように構成された電子スイッチ制御ユニットと
をさらに含み、
電子スイッチ制御ユニットは、コントローラと、第1の制御インターフェースと、コンパレータと、ANDゲートと、第2の制御インターフェースとを含み、第1の制御インターフェースおよび第2の制御インターフェースはコントローラに接続され、第1の制御インターフェースは、電子スイッチを通じて主電池負極接点および副電池正極接点にさらに接続され、コンパレータの1つの入力端部は副電池正極接点に接続され、別の入力端部は固定電圧を入力し、出力端部はANDゲートの1つの入力端部に接続され、ANDゲートの別の入力端部は第2の制御インターフェースに接続され、ANDゲートの出力端部は、電子スイッチを通じて主電池正極接点および副電池負極接点に接続され、コントローラは、充電/放電管理チップが所定の位置にあるバッテリーのために充電/放電管理を実行できるように、第1の制御インターフェースおよび第2の制御インターフェースを使用することによって電子スイッチをオン/オフになるように制御する。
【０００５】
コントローラは、主電池負極接点が充電/放電管理チップに接続される一方で副電池正極接点が充電/放電管理チップに接続されないように、または主電池負極接点が充電/放電管理チップに接続されない一方で副電池正極接点が充電/放電管理チップに接続されるように、検出ユニットによって検出された主電池および副電池の配置状態に従って第1の制御インターフェースを使用することによって電子スイッチをオン/オフになるように制御する。
【０００６】
主電池が所定の位置にある一方で副電池が所定の位置にないことを検出ユニットが検出したとき、コントローラは、主電池負極接点が充電/放電管理チップに接続される一方で副電池正極接点が充電/放電管理チップに接続されないように、第1の制御インターフェースを使用することによって電子スイッチをオン/オフになるように制御する。
【０００７】
副電池が所定の位置にある一方で主電池が所定の位置にないことを検出ユニットが検出したとき、コントローラは、主電池負極接点が充電/放電管理チップに接続されない一方で副電池正極接点が充電/放電管理チップに接続されるように、第1の制御インターフェースを使用することによって電子スイッチをオン/オフになるように制御し、その一方でコントローラは、副電池負極接点が充電/放電管理チップに接続されるように電子スイッチを制御するために、第2の制御インターフェースを使用することによってANDゲートが出力端部でHIGHを出力できるようにする。
【０００８】
主電池負極接点はまた、ダイオードを通じて充電/放電管理チップに接続される。
【０００９】
副電池正極/負極接点の数は少なくとも一対である。
【００１０】
本発明の実施形態の別の態様では、モバイル端末が提供され、モバイル端末は、主電池と、副電池と、充電/放電管理装置とを含み、充電/放電管理装置は、主電池または副電池を使用することによってモバイル端末に電力を供給する。
【００１１】
モバイル端末はモバイルフォンである。
【００１２】
本発明による充電/放電管理装置は、モバイル端末製品が電源をオフにすることなくより長く作動することができるように、またモバイル端末製品のユーザがモバイル端末製品を自由に使用することができるように、モバイル端末製品に電力を交替で供給するために2つ以上のバッテリーを使用する。また、2つ以上のバッテリーを使用することによってモバイル端末製品が電力供給され得るので、モバイル端末製品の1つのバッテリーが使い尽くされたとき、モバイル端末製品の電源をオフにする必要はない。すなわち、モバイル端末製品が普通に使用されているとき、使い尽くされたバッテリーが取り出され、充電デバイスを使用することによって充電され得る。一方、モバイル端末製品のいずれのバッテリーも使い尽くされたときには、モバイル端末製品の副電池のホットスワッピングがサポートされる。
【００１３】
本発明の実施形態または従来技術における技術的解決策をより明確に示すために、以下では、実施形態または従来技術について説明するのに必要な添付の図面について簡単に説明する。明らかに、以下の説明における添付の図面は、本発明のいくつかの実施形態を示しているにすぎず、当業者は創造的努力なしに添付の図面から他の図面を導出できよう。
【図面の簡単な説明】
【００１４】
【図１】本発明の一実施形態による二重バッテリー充電/放電管理装置の概略図である。
【図１Ａ】本発明の別の実施形態による二重バッテリー充電/放電管理装置の概略図である。
【図１Ｂ】本発明による二重バッテリー充電/放電管理装置の概略回路図である。
【図１Ｃ】本発明による電子スイッチとしてMOSトランジスタを使用する二重バッテリー充電/放電管理装置の概略回路図である。
【図２】本発明の一実施形態による三重バッテリー充電/放電管理装置の概略図である。
【図２Ａ】本発明の別の実施形態による三重バッテリー充電/放電管理装置の概略図である。
【発明を実施するための形態】
【００１５】
以下では、本発明の実施形態における添付の図面を参照しながら、本発明の実施形態による技術的解決策について明確かつ完全に説明する。明らかに、以下の説明における実施形態は、本発明の実施形態のすべてではなく、一部にすぎない。当業者が創造的努力なしに本発明の実施形態に基づいて取得する他の実施形態はすべて、本発明の保護範囲内にある。
【００１６】
本発明の実施形態では、主電池正極接点は、電気接続を行うために主電池正極と接触するための接点を指しており、主電池上の接点を指していない。同様に、主電池負極接点は、電気接続を行うために主電池負極と接触するための接点を指し、副電池正極接点は、電気接続を行うために副電池正極と接触するための接点を指し、副電池負極接点は、電気接続を行うために副電池負極と接触するための接点を指す。
【００１７】
本発明の実施形態では、モバイル端末製品は、通常はモバイルフォンであるが、MP3プレーヤ、PAD、ノートブックコンピュータおよびデータカードなどのモバイル端末でもよい。
【００１８】
本発明の実施形態では、充電および放電は、バッテリーを充電および放電することを指し、この場合、モバイル端末製品に電力を供給するためにバッテリーが放電される。
【００１９】
図1は、本発明の一実施形態による二重バッテリー充電/放電管理装置を示しており、二重バッテリー充電/放電管理装置は、2つのバッテリーの充電および放電を管理するために使用される。充電/放電管理装置は、充電/放電管理チップ101、主電池正極接点106、主電池負極接点107、副電池正極接点108、副電池負極接点109、主電池正極接点106に接続された電子スイッチ102、主電池負極接点107に接続された電子スイッチ103、副電池正極接点108に接続された電子スイッチ104、副電池負極接点109に接続された電子スイッチ105、電子スイッチ102、103、104および105に接続された電子スイッチ制御ユニット110、ならびに電子スイッチ制御ユニット110に接続された検出ユニット111を含む。
【００２０】
二重バッテリー充電/放電管理装置の作業プロセスは次のとおりである。
【００２１】
検出ユニット111が、主電池および副電池の配置状態を検出する。検出ユニット111は、温度検出、すなわち、バッテリーの温度検出ピンを検出することによって、バッテリーの配置状態を検出することができるか、またはバッテリーのID線を使用することによって、バッテリーの配置状態を検出することができる。
【００２２】
電子スイッチ制御ユニット110は、充電/放電管理チップが所定の位置にあるバッテリーのために充電/放電管理を実行するように、検出ユニット111によって検出された主電池および副電池の配置状態に従って電子スイッチをオン/オフになるように制御する。詳細には、主電池が所定の位置にある一方で副電池が所定の位置にないことを検出ユニット111が検出したとき、電子スイッチ制御ユニット110は、充電/放電管理チップが主電池のために充電/放電管理を実行するように、電子スイッチ102および電子スイッチ103をオンになるように制御する。副電池が所定の位置にある一方で主電池が所定の位置にないことを検出ユニット111が検出したとき、電子スイッチ制御ユニット110は、充電/放電管理チップが副電池のために充電/放電管理を実行するように、電子スイッチ104および電子スイッチ105をオンになるように制御する。主電池および副電池が両方とも所定の位置にあることを検出ユニット111が検出したとき、電子スイッチ制御ユニット110は、充電/放電管理チップが主電池または副電池のために充電/放電管理を実行するように、実際の状況に従って電子スイッチをオン/オフになるように制御する。たとえば、主電池が一杯である一方で副電池が低いときには、電子スイッチ制御ユニット110は、充電/放電管理チップが主電池のために放電管理を実行するように、電子スイッチ102および電子スイッチ103をオンになるように制御し、その反対であるときには、充電/放電管理チップが副電池のために放電管理を実行するように、電子スイッチ104および電子スイッチ105をオンになるように制御する。
【００２３】
図1Aに示すように、電子スイッチ103と並列にダイオードが接続され得る。すなわち、電子スイッチ103がオンではない非常時に、主電池負極接点がダイオードを通じて充電/放電管理チップに接続され、それにより副電池のためにホットスワッピングを実施することができるように、主電池負極接点はダイオードを通じて充電/放電管理チップに接続されることもある。
【００２４】
図1Bは、本発明による二重バッテリー充電/放電管理装置の概略回路図を示している。破線の囲みに示すように、電子スイッチ制御ユニット110は詳細には、コントローラ1105、第1の制御インターフェース1101、コンパレータ1102、ANDゲート1103、および第2の制御インターフェース1104を含み、第1の制御インターフェース1101および第2の制御インターフェース1104はコントローラ1105に接続され、第1の制御インターフェース1101はさらに、電子スイッチ103を通じて主電池負極接点に、電子スイッチ104を通じて副電池正極接点にそれぞれ接続され、コンパレータ1102の1つの入力端部は副電池正極接点108に接続され、別の入力端部は固定電圧(モバイル端末製品の電力供給電圧により異なる。モバイル端末製品がモバイルフォンである場合、固定電圧は、通常は3.3Vである)を入力し、出力端部はANDゲート1103の入力端部に接続され、ANDゲート1103の別の入力端部は第2の制御インターフェース1104に接続され、ANDゲートの出力端部は、電子スイッチ102を通じて主電池正極接点に、電子スイッチ105を通じて副電池負極接点にそれぞれ接続され、コントローラ1105はプロセッサ実行ソフトウェアであり得る。コントローラ1105がプロセッサ実行ソフトウェアである場合、第1の制御インターフェース1101および第2の制御インターフェース1104はソフトウェアインターフェースである。
【００２５】
コントローラ1105は、主電池負極接点107が充電/放電管理チップ101に接続される一方で副電池正極接点108が充電/放電管理チップ101に接続されないように、または主電池負極接点107が充電/放電管理チップ101に接続されない一方で副電池正極接点108が充電/放電管理チップ101に接続されるように、検出ユニットによって検出された主電池および副電池の配置状態に従って第1の制御インターフェース1101を使用することによって電子スイッチ102〜105をオン/オフになるように制御する。
【００２６】
主電池が所定の位置にないことを検出ユニットが検出したとき、コントローラ1105は、主電池負極接点107が充電/放電管理チップ101に接続されない一方で副電池正極接点108が充電/放電管理チップ101に接続されるように、第1の制御インターフェース1101を使用することによって電子スイッチ103をオフになるように、104をオンになるように制御し、その一方で第2の制御インターフェース1104は、副電池負極接点が充電/放電管理チップ101に接続されるように、電子スイッチ105をオンになるように制御するために、ANDゲートが出力端部でHIGHを出力できるようにHIGHを入力する。
【００２７】
詳細には、主電池が所定の位置にある一方で副電池が所定の位置にないことを検出ユニットが検出したとき、コントローラ1105は、電子スイッチ103をオンになるように、電子スイッチ104をオフになるように制御するために、第1の制御インターフェース1101を通じてHIGHを入力する。そのような場合、副電池は所定の位置にないので、コンパレータ1102はLOWを出力し、コントローラ1105が第2の制御インターフェース1104を通じてHIGHを入力するかLOWを入力するかに関係なく、電子スイッチ102がオンになるように、また電子スイッチ105がオフになるように、ANDゲート1103はLOWを出力する。そのような場合、所定の位置にある主電池はは充電/放電管理チップ101に接続され、電源管理チップ101は、主電池のために充電/放電管理を実行する。
【００２８】
副電池が所定の位置にある一方で主電池が所定の位置にないことを検出ユニットが検出したとき、コントローラ1105は、電子スイッチ104をオンになるように、電子スイッチ103をオフになるように制御するために、第1の制御インターフェース1101を通じてLOWを入力する。そのような場合、副電池の電圧が固定電圧(モバイル端末製品の電力供給電圧により異なる。モバイル端末製品がモバイルフォンであるとき、固定電圧は、通常は3.3Vである)よりも高い限り、コンパレータ1102はHIGHを出力し、コントローラ1105は同時に第2の制御インターフェース1104を通じてHIGHを入力し、それによりANDゲート1103は、電子スイッチ105をオンになるように、102をオフになるように制御するためにHIGHを入力する。そのような場合、所定の位置にある副電池は電源管理チップ101に接続され、電源管理チップ101は、副電池のために充電/放電管理を実行する。
【００２９】
主電池および副電池が両方とも所定の位置にあることを検出ユニットが検出したとき、主電池または副電池の能力がモバイル端末製品の電源をオンにするのに十分である限り、電子スイッチ制御ユニット110は、これらのバッテリーのために充電/放電管理を実行するように電子スイッチ102〜105を制御することができる。下の表は、バッテリーがモバイル端末製品に電力を供給できるように電子スイッチ制御ユニット110が電子スイッチ102〜105を制御する真偽表を記述しており、「0」は低レベルを示し、「1」は高レベルを示す。
【００３０】
【表１ａ】
0005982692.tif 000002
【表１ｂ】
0005982692.tif 000003
【００３１】
副電池が所定の位置にあり、電力を供給する一方で、主電池は同じく所定の位置にあるが、電力を供給せず、主電池の能力がモバイル端末製品の電源をオンにするのに十分であり、副電池が、ユーザによって突然取り出されたか、または故障した場合、副電池正極接点108に接続されたコンパレータ1102の入力端部によって入力される電圧は急速に落ちて、固定電圧(モバイル端末製品の電力供給電圧により異なる。モバイル端末製品がモバイルフォンである場合、固定電圧は、通常は3.3Vである)よりも低くなり、コンパレータ1102はLOWを出力する。そのような場合、第2の制御インターフェース1104を通じたコントローラ1105の入力に関係なく、主電池正極接点106が電子スイッチ102を通じて充電/放電管理チップ101に接続され得るように、ANDゲートはLOWを出力し、電子スイッチ102はオンである。そのような場合、電子スイッチ103がオフ状態にあり得るので、主電池負極接点は充電/放電管理チップに接続されない。そのような場合に、ダイオード1031が電子スイッチ103と並列に接続されている場合、主電池負極接点は充電/放電管理チップに接続される。そのような場合、モバイル端末製品に電力を供給する副電池が様々な理由により電力を供給することができなくなった後、モバイル端末製品の主電池は充電/放電管理チップに接続され、モバイル端末製品に電力を一時的に供給することができる。すなわち、ダイオード1031は、副電池のためにホットスワッピングを実施することが可能である。もちろん、ダイオード1031は本発明の実施形態に必要であるとは限らない。副電池が所定の位置にない一方で主電池が所定の位置にあることを検出ユニットが検出したとき、コントローラ1105は、電子スイッチ103をオンになるように、電子スイッチ104をオフになるように制御するために、第1の制御インターフェース1101を通じてHIGHを入力する。そのような場合、副電池は所定の位置にないので、コンパレータ1102はLOWを出力し、コントローラ1105が第2の制御インターフェース1104を通じてHIGHを入力するかLOWを入力するかに関係なく、電子スイッチ102がオン
になるように、また105がオフになるように、ANDゲート1103はLOWを出力する。そのような場合、所定の位置にある主電池は電源管理チップ101に接続され、電源管理チップ101は、主電池のために充電/放電管理を実行する。
【００３２】
主電池が所定の位置にあり、電力を供給するが、副電池が所定の位置になく、副電池がモバイル端末製品に取り付けられた後に副電池が所定の位置にあることを検出ユニットが検出したとき、主電池または副電池の能力がモバイル端末製品の電源をオンにするのに十分である限り、電子スイッチ制御ユニット110は、これらのバッテリーのために任意の充電/放電管理を実行するように電子スイッチ102〜105を制御することができる。たとえば、コントローラ1105がソフトウェア製品であり、第1の制御インターフェース1101および第2の制御インターフェース1104がソフトウェアインターフェースである場合に、バッテリーがモバイル端末製品に電力を供給できるように電子スイッチ制御ユニット110が電子スイッチ102〜105を制御する真偽表がTable 1.1(表1)に示されている。
【００３３】
電子スイッチは、MOSトランジスタ電子スイッチであり得る。図1Cは、電子スイッチがMOSトランジスタである概略回路図を示している。
【００３４】
上記の実施形態からわかるように、本発明の実施形態によって提供される二重バッテリー充電/放電管理装置では、検出ユニットを使用して電子バッテリーの配置状態を検出し、次いで電子スイッチ制御ユニットを使用して、検出ユニットによって検出されたバッテリーの配置状態に従って電子スイッチをオン/オフになるように制御し、それにより、充電/放電管理チップは所定の位置にあるバッテリーのために充電/放電管理を実行することができ、二重バッテリー充電/放電管理装置を使用するモバイル端末は、2つのバッテリーを使用することによって電力供給でき、その結果、1つのバッテリーが使い尽くされたときにモバイル端末製品の電源をオフにしなくてよく、モバイル端末製品のユーザは依然としてモバイル端末製品を便利に使用することができる。また、2つ以上のバッテリーを使用することによってモバイル端末製品が電力供給され得るので、モバイル端末製品の1つのバッテリーが使い尽くされたとき、モバイル端末製品の電源をオフにする必要はない。すなわち、モバイル端末製品の電源をオフにすることなく、使い尽くされたバッテリーが取り出され、充電デバイスを使用することによって充電され得る。一方、モバイル端末製品のいずれのバッテリーも使い尽くされたときには、モバイル端末製品の副電池のホットスワッピングがサポートされる。
【００３５】
図2は、本発明の一実施形態による三重バッテリー充電/放電管理装置を示しており、三重バッテリー充電/放電管理装置は、3つのバッテリーの充電および放電を管理するために使用される。充電/放電管理装置は、充電/放電管理チップ101、主電池正極接点106、主電池負極接点107、第1の副電池正極接点108、第1の副電池負極接点109、第2の副電池正極接点203、第2の副電池負極接点204、主電池正極接点106に接続された電子スイッチ102、主電池負極接点107に接続された電子スイッチ103、第1の副電池正極接点108に接続された電子スイッチ104、第1の副電池負極接点109に接続された電子スイッチ105、第2の副電池正極接点203に接続された電子スイッチ201、第2の副電池負極接点204に接続された電子スイッチ202、電子スイッチ102、103、104、105、201および202に接続された電子スイッチ制御ユニット110、ならびに電子スイッチ制御ユニット110に接続された検出ユニット111を含む。
【００３６】
三重バッテリー充電/放電管理装置の作業プロセスは次のとおりである。
【００３７】
検出ユニット111が、主電池および副電池の配置状態を検出する。検出ユニット111は、温度検出、すなわち、バッテリーの温度検出ピンを検出することによって、バッテリーの配置状態を検出することができるか、またはバッテリーのID線を使用することによって、バッテリーの配置状態を検出することができる。
【００３８】
電子スイッチ制御ユニット110は、充電/放電管理ユニットが所定の位置にあるバッテリーのために充電/放電管理を実行するように、検出ユニット111によって検出された主電池および副電池の配置状態に従って電子スイッチをオン/オフになるように制御する。詳細には、主電池が所定の位置にある一方で第1の副電池および第2の副電池が所定の位置にないことを検出ユニット111が検出したとき、電子スイッチ制御ユニット110は、充電/放電管理ユニットが主電池のために充電/放電管理を実行するように、電子スイッチ102および電子スイッチ103をオンになるように制御する。第1の副電池が所定の位置にある一方で主電池および第2の副電池が所定の位置にないことを検出ユニット111が検出したとき、電子スイッチ制御ユニット110は、充電/放電管理ユニットが第1の副電池のために充電/放電管理を実行するように、電子スイッチ104および電子スイッチ105をオンになるように制御する。第2の副電池が所定の位置にある一方で主電池および第1の副電池が所定の位置にないことを検出ユニット111が検出したとき、電子スイッチ制御ユニット110は、充電/放電管理ユニットが第2の副電池のために充電/放電管理を実行するように、電子スイッチ201および電子スイッチ202をオンになるように制御する。主電池、第1の副電池および第2の副電池のうちの少なくとも2つが所定の位置にあることを検出ユニット111が検出したとき、電子スイッチ制御ユニット110は、充電/放電管理ユニットが主電池、第1の副電池または第2の副電池のために充電/放電管理を実行するように、実際の状況に従って電子スイッチをオン/オフになるように制御する。たとえば、主電池および第1の副電池が所定の位置にあり、主電池の能力が十分である一方で第1の副電池の能力が不十分であるときには、電子スイッチ制御ユニット110は、充電/放電管理ユニットが主電池のために充電/放電管理を実行するように、電子スイッチ102および電子スイッチ103をオンになるように制御し、その反対であるときには、充電/放電管理ユニ
ットが第1の副電池のために充電/放電管理を実行するように、電子スイッチ104および電子スイッチ105をオンになるように制御する。他の2つの、または2つよりも多くのバッテリーが所定の位置にあるときのバッテリーのための充電/放電管理は、主電池および第1の副電池が同時に所定の位置にあるときの処理と同様であり、ここでは説明しない。
【００３９】
電子スイッチはMOSトランジスタ電子スイッチであり得る。
【００４０】
図2Aに示すように、電子スイッチ103と並列にダイオードが接続され得る。すなわち、電子スイッチ103がオンではない非常時に、主電池負極接点がダイオードを通じて充電/放電管理チップに接続され、それにより副電池のためにホットスワッピングを実施することができるように、主電池負極接点はダイオードを通じて充電/放電管理チップに接続されることもある。
【００４１】
上記の実施形態からわかるように、本発明の実施形態によって提供される三重バッテリー充電/放電管理装置では、検出ユニットを使用してバッテリーの配置状態を検出し、次いで電子スイッチ制御ユニットを使用して、検出ユニットによって検出されたバッテリーの配置状態に従って電子スイッチをオン/オフになるように制御し、それにより、充電/放電管理チップは所定の位置にあるバッテリーのために充電/放電管理を実行することができ、三重バッテリー充電/放電管理装置を使用するモバイル端末は、3つのバッテリーを使用することによって電力供給でき、その結果、1つのバッテリーが使い尽くされたときにモバイル端末製品の電源をオフにしなくてよく、モバイル端末製品のユーザは依然としてモバイル端末製品を便利に使用することができる。また、3つのバッテリーを使用することによってモバイル端末製品が電力供給され得るので、モバイル端末製品の1つのバッテリーが使い尽くされたとき、モバイル端末製品の電源をオフにする必要はない。すなわち、モバイル端末製品の電源をオフにすることなく、使い尽くされたバッテリーが取り出され、充電デバイスを使用することによって充電され得る。一方、モバイル端末製品の3つのバッテリーのすべてが使い尽くされたときには、モバイル端末製品の副電池のホットスワッピングがサポートされる。バッテリーのために充電/放電管理を実行するための具体的な手順は、二重バッテリー充電/放電管理装置のための処理手順と同様であり、ここでは繰り返して説明しない。
【００４２】
図1および図2に記述した実施形態は、本発明の例示的な実施形態にすぎない。当業者は、二重バッテリーおよび三重バッテリーの場合に加えて、本発明の実施形態による充電/放電管理装置がN重バッテリー充電/放電管理装置(Nは正の整数である)であり得ることを理解しよう。
【００４３】
加えて、本発明の実施形態は、モバイル端末をさらに提供する。モバイル端末は、主電池と、副電池と、上記の実施形態で説明した充電/放電管理装置とを含み、充電/放電管理装置は、主電池または副電池を使用することによってモバイル端末に電力を供給する。モバイル端末製品は、通常はモバイルフォンであるが、MP3、PAD、ノートブックコンピュータおよびデータカードなどのモバイル端末でもよい。
【００４４】
実施形態に関する上記の説明を通じて、本発明がソフトウェアと必要な汎用ハードウェアとによって実現可能であり、確実にハードウェアによっても実現可能であるが、多くの場合にソフトウェア実装が好ましいことが、当業者には明らかである。そのような理解に基づいて、基本的に本発明の技術的解決策、または従来技術に寄与する部分は、ソフトウェア製品の形態で実装され得る。コンピュータソフトウェア製品は、可読記憶媒体、たとえばコンピュータのフロッピー（登録商標）ディスク、ハードディスク、または光ディスクに記憶され、本発明の実施形態で説明した方法を実行するようにコンピュータデバイス(パーソナルコンピュータ、サーバ、ネットワークデバイスなどであり得る)に命令するためのいくつかの命令を含む。
【００４５】
上記の説明は、本発明の例示的な実施形態にすぎず、本発明の保護範囲を限定することを意図していない。本発明によって開示された技術範囲から離れることなく当業者によって容易に作られ得る任意の変形形態または代替形態は、本発明の保護範囲内にある。したがって、本発明の保護範囲は、添付の特許請求の保護範囲に依拠する。
【符号の説明】
【００４６】
101  充電/放電管理チップ、電源管理チップ
102  電子スイッチ
103  電子スイッチ
104  電子スイッチ
105  電子スイッチ
106  主電池正極接点
107  主電池負極接点
108  副電池正極接点、第1の副電池正極接点
109  副電池負極接点、第1の副電池負極接点
110  電子スイッチ制御ユニット
111  検出ユニット
201  電子スイッチ
202  電子スイッチ
203  第2の副電池正極接点
204  第2の副電池負極接点
1101  第1の制御インターフェース
1102  コンパレータ
1103  ANDゲート
1104  第2の制御インターフェース
1105  コントローラ
1031  ダイオード
【図１】
0005982692.tif 000004
【図１Ａ】
0005982692.tif 000005
【図１Ｂ】
0005982692.tif 000006
【図１Ｃ】
0005982692.tif 000007
【図２】
0005982692.tif 000008
【図２Ａ】
0005982692.tif 000009